【手続補正書】
【提出日】平成18年12月27日(2006.12.27)
【手続補正１】
【補正対象書類名】明細書
【補正対象項目名】発明の名称
【補正方法】変更
【補正の内容】
【発明の名称】磁気共鳴スペクトロスコピー装置
【手続補正２】
【補正対象書類名】明細書
【補正対象項目名】特許請求の範囲
【補正方法】変更
【補正の内容】
【特許請求の範囲】
【請求項１】  関心領域の位置決め画像上で関心領域を設定することにより、当該設定した関心領域における代謝物質ごとの濃度分布を示すスペクトルデータを表示することができる磁気共鳴スペクトロスコピー装置において、
前記関心領域の位置決め画像上に、前記設定した関心領域とは別に、脂肪の励起される領域を表示することを特徴とする磁気共鳴スペクトロスコピー装置。
【請求項２】  関心領域の位置決め画像上で関心領域を設定することにより、当該設定した関心領域における代謝物質ごとの濃度分布を示すスペクトルデータを表示することができる磁気共鳴スペクトロスコピー装置において、
前記位置決め画像上における関心領域の設定位置に応じて傾斜磁場の極性を制御することを特徴とする磁気共鳴スペクトロスコピー装置。
【請求項３】  関心領域の位置決め画像上で関心領域を設定することにより、当該設定した関心領域における代謝物質ごとの濃度分布を示すスペクトルデータを表示することができる磁気共鳴スペクトロスコピー装置において、
前記位置決め画像上における関心領域の設定位置に応じて傾斜磁場の極性を制御する磁場極性制御手段と、
前記関心領域の位置決め画像上に、前記設定した関心領域とは別に、脂肪の励起される領域を表示させる脂肪領域表示手段と、を具備したことを特徴とする磁気共鳴スペクトロスコピー装置。
【請求項４】  関心領域の位置決め画像上で関心領域を設定することにより、当該設定した関心領域における代謝物質ごとの濃度分布を示すスペクトルデータを表示することができる磁気共鳴スペクトロスコピー装置において、
前記位置決め画像上における関心領域の設定位置に応じて傾斜磁場の極性を制御する磁場極性制御手段と、
前記関心領域の位置決め画像上に、前記設定した関心領域とは別に、脂肪の励起される領域を表示させる脂肪領域表示手段と、
前記設定した関心領域を再設定する関心領域再設定手段と、を具備したことを特徴とする磁気共鳴スペクトロスコピー装置。
【請求項５】  関心領域の位置決め画像上で関心領域を設定することにより、当該設定した関心領域における代謝物質ごとの濃度分布を示すスペクトルデータを表示することができる磁気共鳴スペクトロスコピー装置において、
前記位置決め画像上における関心領域の設定位置に応じて傾斜磁場の極性を制御する磁場極性制御手段と、
前記関心領域の位置決め画像上に、前記設定した関心領域とは別に、脂肪の励起される領域を表示させる脂肪領域表示手段と、
前記磁場極性制御手段により制御された傾斜磁場の極性を再制御する磁場極性再制御手段と、を具備したことを特徴とする磁気共鳴スペクトロスコピー装置。
【請求項６】  請求項２乃至５のいずれか一項に記載の磁気共鳴スペクトロスコピー装置において、
前記傾斜磁場の極性を制御するとは、前記脂肪の励起される領域が前記関心領域よりも静磁場の中心側に位置するように、傾斜磁場の極性を変化することであることを特徴とする磁気共鳴スペクトロスコピー装置。
【請求項７】  請求項５に記載の磁気共鳴スペクトロスコピー装置において、
前記磁場極性制御手段又は前記磁気極性制御手段により傾斜磁場の極性を再制御する前記磁場極性再制御手段とは、前記磁場極性制御手段又は前記磁気極性再制御手段により制御された傾斜磁場の極性を反転することであることを特徴とする磁気共鳴スペクトロスコピー装置。
【請求項８】  請求項５に記載の磁気共鳴スペクトロスコピー装置において、
前記磁場極性制御手段又は前記磁気極性再制御処理による傾斜磁場の極性の再制御は、前記脂肪領域表示手段又は前記脂肪領域表示処理により表示されている脂肪の励起された領域を移動させることにより始動することを特徴とする磁気共鳴スペクトロスコピー装置。
【請求項９】  請求項１、３、４若しくは５に記載の磁気共鳴スペクトロスコピー装置において、
前記関心領域と前記脂肪の励起される領域との表示態様を異ならせることを特徴とする磁気共鳴スペクトロスコピー装置。
【請求項１０】  請求項９に記載の磁気共鳴スペクトロスコピー装置において、
前記関心領域と脂肪の励起される領域の表示態様を異ならせることは、関心領域の外枠を実線で表し、脂肪の励起される領域を点線で表すことであることを特徴とする磁気共鳴スペクトロスコピー装置。
【請求項１１】  請求項１０に記載の磁気共鳴スペクトロスコピー装置において、
前記関心領域と脂肪の励起される領域の表示態様を異ならせることは、カラー表示における色の違いにより行うことであることを特徴とする磁気共鳴スペクトロスコピー装置。
【手続補正３】
【補正対象書類名】明細書
【補正対象項目名】００３４
【補正方法】削除
【補正の内容】
【手続補正４】
【補正対象書類名】明細書
【補正対象項目名】００３５
【補正方法】削除
【補正の内容】
【手続補正５】
【補正対象書類名】明細書
【補正対象項目名】００３６
【補正方法】変更
【補正の内容】
【００３６】
請求項６に記載の発明は、請求項２乃至５のいずれか一項に記載の磁気共鳴スペクトロスコピー装置において、前記傾斜磁場の極性を制御するとは、前記脂肪の励起される領域が前記関心領域よりも静磁場の中心側に位置するように、傾斜磁場の極性を変化することであることを特徴とする。
【手続補正６】
【補正対象書類名】明細書
【補正対象項目名】００３７
【補正方法】変更
【補正の内容】
【００３７】
請求項７に記載の発明は、請求項５に記載の磁気共鳴スペクトロスコピー装置又は請求項７に記載の関心領域位置決め方法において、前記磁場極性制御手段又は前記磁気極性制御手段により傾斜磁場の極性を再制御する前記磁場極性再制御手段とは、前記磁場極性制御手段又は前記磁気極性再制御手段により制御された傾斜磁場の極性を反転することであることを特徴とする。
【手続補正７】
【補正対象書類名】明細書
【補正対象項目名】００３８
【補正方法】変更
【補正の内容】
【００３８】
請求項８に記載の発明は、請求項５に記載の磁気共鳴スペクトロスコピー装置において、前記磁場極性再制御手段又は前記磁気極性再制御処理による傾斜磁場の極性の再制御は、前記脂肪領域表示手段又は前記脂肪領域表示処理により表示されている脂肪の励起された領域を移動させることにより始動することを特徴とする。
【手続補正８】
【補正対象書類名】明細書
【補正対象項目名】００３９
【補正方法】変更
【補正の内容】
【００３９】
請求項９に記載の発明は、請求項１、３、４若しくは５に記載の磁気共鳴スペクトロスコピー装置において、前記関心領域と前記脂肪の励起される領域との表示態様を異ならせることを特徴とする。
【手続補正９】
【補正対象書類名】明細書
【補正対象項目名】００４０
【補正方法】変更
【補正の内容】
【００４０】
請求項１０に記載の発明は、請求項９に記載の磁気共鳴スペクトロスコピー装置において、前記関心領域と脂肪の励起される領域の表示態様を異ならせることは、関心領域の外枠を実線で表し、脂肪の励起される領域を点線で表すことであることを特徴とする。
【手続補正１０】
【補正対象書類名】明細書
【補正対象項目名】００４１
【補正方法】変更
【補正の内容】
【００４１】
請求項１１に記載の発明は、請求項１０に記載の磁気共鳴スペクトロスコピー装置において、前記関心領域と脂肪の励起される領域の表示態様を異ならせることは、カラー表示における色の違いにより行うことであることを特徴とする。
【手続補正１１】
【補正対象書類名】明細書
【補正対象項目名】００４２
【補正方法】削除
【補正の内容】